(57)【要約】      （修正有）【課題】種々の遊戯方法を有し、勝算の確率は増加し、プレーヤーの楽しみも増す回転テーブル式ゲーム機を提供する。【解決手段】回転テーブル装置１０、及びインデクス装置２０から構成される回転テーブル式ゲーム機であって、回転テーブル装置は、第１のモータにより回転する回転テーブルを備え、インデクス装置は、円周方向に等間隔に配置されており、第２のモータにより回転する、３つのインデクス・ピンを備える。作動する際には、第１のモータ及び第２のモータは回転テーブルを、インデクス・ピンの回転に対して逆方向に回転させ、回転を停止する際には、３つのインデクス・ピンが、回転テーブルの周辺部における、３つの異なる分割領域を指し示す。回転テーブルに主制御ボード及び検出プレートを備えることにより、結果がディスプレイに表示される。【選択図】図３
0003135447.tif 000002
【実用新案登録請求の範囲】
【請求項１】
中心に第１の固定式モータ１２を備え、正面に順次、下部領域に１３１検出プレートを備えた主制御ボード１３と、放射状分割部１４と、第１のモータ１２と連結しており、回転のために駆動され、その周辺部に多数の分割領域１５１を備えている回転テーブル１５と、を備えた鉄製枠１１を有する、
回転テーブル装置１０と、
第２のモータ２３を固定するために、円形プレート２２をその中心に備え、前記第２のモータ２３と連結することにより回転し、中心から放射状に配置され、円周方向に等間隔に配置されている、複数のインデクス・ピン２５を備えたインデクス機構をその背面に有しており、前記鉄製枠１１の両端に広がる支持ブラケット２１を備えたインデクス装置２０と、
記録を表示するために、前記インデクス装置２０の前記支持ブラケット２１の前記円形プレート２２の外側に設けられているディスプレイ３０とを備え、
作動する際には、前記第１のモータ１２及び前記第２のモータ２３は前記回転テーブル１５を、前記インデクス機構の回転に対して逆方向に回転させ、回転を停止する際には、前記インデクス・ピン２５が、前記回転テーブル１５の周辺部における、３つの異なる分割領域１５１を正確に指し示し、前記主制御ボード１３及び前記検出プレート１３１を備えることにより、検出された結果が前記ディスプレイ３０に表示されることを特徴とする、回転テーブル式ゲーム機。
【請求項２】
前記インデクス機構は、前記インデクス・ピン２５を固定するための一対の円形固定プレート２４を更に備えていることを特徴とする、請求項１に記載の回転テーブル式ゲーム機。
【請求項３】
前記インデクス装置の前記支持ブラケット２１は、前記中心の前記円形プレート２２の相互に２つの反対側に、２つの台形の穴を表面に有していることを特徴とする、請求項１に記載の回転テーブル式ゲーム機。
【請求項４】
前記ディスプレイ３０は、記録の表示のために、発光ダイオード表示板３１を備えていることを特徴とする、請求項１に記載の回転テーブル式ゲーム機。
【請求項５】
前記ディスプレイ３０は、正面には発光ダイオードの周辺サークル３２を備えていることを特徴とする、請求項４に記載の回転テーブル式ゲーム機。
【請求項６】
前記回転テーブル装置は、各々の前記分割領域１５１が、他のいずれの前記分割領域とも異なる色彩を表面に有する周辺の複数の分割領域を備えていることを特徴とする、請求項１に記載の回転テーブル式ゲーム機。
【請求項７】
前記回転テーブル装置は、各々の前記分割領域１５１が、他のいずれの前記分割領域とも異なる数字を表面に有する周辺の複数の分割領域を備えていることを特徴とする、請求項１に記載の回転テーブル式ゲーム機。
【請求項８】
前記回転テーブル装置は、各々の前記分割領域１５１が、他のいずれの前記分割領域とも異なる図形を表面に有する周辺の複数の分割領域を備えていることを特徴とする、請求項１に記載の回転テーブル式ゲーム機。
【考案の詳細な説明】
【技術分野】
【０００１】
本考案は、画期的な回転テーブル式ゲーム機、特に逆方向に回転する、回転テーブルを備えた３つのインデクス・ピンを有し、種々の遊戯方法を提供することのできる、ゲーム機に関するものである。
【背景技術】
【０００２】
回転テーブル式ゲーム機は、非常に好まれるゲーム機であり、大規模なカジノにおいて必要とされている。従来の回転テーブル式ゲーム機は各々、周辺に分割領域を有し、その上面には固定されたインデクス・ピンを備えた回転テーブルを備えている。回転テーブルが回転を止めると、インデクス・ピンが分割領域を指し示し、プレーヤーは勝敗を判断するために、事前に、指し示すべき分割領域の色又は数を推定する。
【０００３】
従来の回転テーブル式ゲーム機は、一つのインデクス・ピンのみを有しているため、遊戯に際して一つの色彩又は数の推定のみが可能であり、勝利の確率も非常に少なく、何度も的中しないと、プレーヤーは興味を失うため、かかるゲーム機の改良が真に必要とされていた。
【考案の開示】
【考案が解決しようとする課題】
【０００４】
従来の回転テーブル式ゲーム機は、僅かな遊戯方法しか備えていないという欠点に鑑み、本考案は種々の遊戯方法を有する、画期的な回転テーブル式ゲーム機を提供する。
【課題を解決するための手段】
【０００５】
本考案により提供される回転テーブル式ゲーム機は、回転テーブル装置、及びインデクス装置より構成される。回転テーブル装置は、第１のモータにより回転される回転テーブルを備え、インデクス装置は、円周方向に等間隔に配置されている、３つのインデクス・ピンを備え、第２のモータにより回転する。作動する際には、第１のモータ及び第２のモータは回転テーブルを、インデクス・ピンの回転に対して逆方向に回転させる。回転を停止する際には、３つのインデクス・ピンが、回転テーブルの周辺部における、３つの異なる分割領域を指し示す。回転テーブルに主制御ボード及び検出プレートを備えることにより、結果がディスプレイに表示される。それにより、回転テーブル式ゲーム機は種々の遊戯方法を提供でき、勝利の確率は増加し、プレーヤーの楽しみも増すこととなる。
【０００６】
本考案により提供される回転テーブル式ゲーム機は、複数の完全に異なる色彩、数字、図形を表示として、彩色された回転テーブルの周辺部に分割領域を備えることができる。これにより、プレーヤーは種々の複数の推定方法を有し、遊戯の興味を大幅に増加させることができる。
【０００７】
本考案においては、添付図面を参照して、最良の実施形態の詳細な説明を読むことにより、その特徴及び種々の遊戯方法が、明らかとなる。
【考案の効果】
【０００８】
結論として、本考案により提供される回転テーブル式ゲーム機は、従来の回転テーブル式ゲーム機と比較して、遊戯方法が改良され、それによりプレーヤーの楽しみが増し、これにより多くのプレーヤーを引きつけることとなる。
【実施例】
【０００９】
図１〜４を参照するに、本考案の回転テーブル式ゲーム機は主に、回転テーブル装置１０、インデクス装置２０、及びディスプレイ３０から構成される。
【００１０】
図２を参照すると、回転テーブル装置１０は、中心に第１の固定式モータ１２を備え、正面に順次、主制御ボード１３，放射状分割部１４、及び回転テーブル１５を有する鉄製枠１１を備えている。回転テーブル１５は第１のモータ１２と連結されており、回転のために駆動され、その周辺部に多数の分割領域１５１を備えている。各分割領域１５１は、表面に他の分割領域１５１のいずれとも異なる色彩、数字、図形を有し、各分割領域１５１の内側の内部分割領域１５２には、番号が付されている。主制御ボード１３は下部領域に検出プレート１３１を備え、（後述する）全てのインデクス・ピン２５が停止する分割領域１５１を検出する。
【００１１】
図３を参照すると、インデクス装置２０は、鉄製枠１１の両端に広がる支持ブラケット２１を備え、支持ブラケット２１は第２のモータ２３を固定するために、その中心に円形プレート２２を備え、更に、背面には、第２のモータ２３と連結されることにより回転可能となる、インデクス機構を有している。インデクス機構は３つのインデクス・ピン２５が円周方向に等間隔に配置されている、一対の円形固定プレート２４を備えている。インデクス装置２０の支持ブラケット２１は、中心の円形プレート２２から相互に２つの反対側に、２つの台形の穴２６をその表面に有している。インデクス・ピン２５の数は３つに制限されず、多数であっても良い。
【００１２】
インデクス・ピン２５は各々、円形固定プレート２４と連結される連結部２５１の正面及び背面から突出する突起部２５２を備えており、各々、突起部２５２の両側に位置する２つの円形穴２５３を有している。各突起部２５２は、２つの円形固定プレート２４上に各々設けられた、２つの貫通孔２４１に係合されている。また２つのネジ２４２は、２つの貫通孔２４１及び２つの円形穴２５３を介して延長され、対応するインデクス・ピン２５の一つをしっかりと固定する。それにより、図４に示すように、２つの円形固定プレート２４は、３つのインデクス・ピン２５を固定する。
【００１３】
ディスプレイ３０は、記録を表示するために、インデクス装置２０の支持ブラケット２１の中央円形プレート２２の外側に設けられている。ディスプレイ３０は、記録の表示のために、その中心部に発光ダイオード表示板３１を備え、正面には発光ダイオードの周辺サークル３２を備えている。
【００１４】
本考案を作動する際に、第１のモータ１２及び第２のモータ２３は回転テーブル１５をインデクス機構の回転に対して逆方向に回転させ、回転を停止する際には、３つのインデクス・ピン２５が、回転テーブル１５の周辺部における、３つの異なる分割領域１５１を正確に指し示す。主制御ボード１３及び検出プレート１３１を備えることにより、検出された結果がディスプレイ３０に表示される。
【００１５】
本考案の回転テーブル式ゲーム機により、プレイヤーは３つのインデクス・ピン２５が、回転テーブル１５に対して回転を止めた際に、これらが指し示す領域の色彩、数、図形を推定することができ、付された番号によりスコアが算定され、ディスプレイ３０の発光ダイオード表示板３１に示される。３つの表示は３つのインデクス・ピン２５により毎回、遊戯の際に指し示されることにより、プレーヤーは複数の推定方法を有することとなる。３つのインデクス・ピン２５を本考案が備えることにより、勝算の確率は増加し、プレーヤーの楽しみも増すこととなる。
【図面の簡単な説明】
【００１６】
【図１】本考案の外観を示す斜視図である。
【図２】本考案の回転テーブル装置の分解斜視図である。
【図３】本考案のインデクス装置の分解斜視図である。
【図４】本考案の断面図である。
【符号の説明】
【００１７】
１０：回転テーブル装置
１１：鉄製枠
１２：第１の固定式モータ
１３：主制御ボード
１３１：検出プレート
１４：放射状分割部
１５：回転テーブル
１５１：分割領域
１５２：内部分割領域
２０：インデクス装置
２１：支持ブラケット
２２：円形プレート
２３：第２のモータ
２４：円形固定プレート
２４１：貫通孔
２５：インデクス・ピン
２５１：連結部
２５２：突起部
２５３：円形穴
３０：ディスプレイ
３１：発光ダイオード表示板
３２：周辺サークル
【図１】
0003135447.tif 000003
【図２】
0003135447.tif 000004
【図３】
0003135447.tif 000005
【図４】
0003135447.tif 000006